(57)【要約】【課題】  裏写り補正機能を有する画像形成装置において、ＡＤＦの開閉状態に応じて適切な裏写り補正レベルを設定できるようにする。【解決手段】  原稿読み取り時に、まずＡＤＦの開閉状態を検出する（Ｓ１）。開閉状態としては、開状態、リフトアップ状態、閉状態との３つの状態がある。Ｓ２１で開状態が検出された場合は、開状態用の裏写り補正レベルが設定される（Ｓ２２）。また、開状態でない場合は、リフトアップ状態かを検出し（Ｓ２３）、リフトアップ状態であれば、リフトアップ状態用の裏写り補正レベルが設定される（Ｓ２４）。リフトアップ状態でない場合は、閉状態であるとして、閉状態用の裏写り補正レベルが設定される（Ｓ２５）。それぞれの裏写り補正レベルが設定されると、読み取りが行われ、読み取った画像について、裏写り補正処理が行われる（Ｓ２６）。【選択図】  図１
2005094304.tif 000002
【特許請求の範囲】
【請求項１】
読み取り手段で読み取られた原稿画像から裏写り画像を除去する処理を行う裏写り補正処理手段と、開閉蓋を有する給紙装置とを備える画像形成装置において、
前記原稿読み取り時に前記開閉蓋の開閉状態を検出する検出手段と、
前記裏写り補正処理手段で用いる裏写り補正レベルを前記検出された開閉状態に応じて異なる値に設定する設定手段とを設けたことを特徴とする画像形成装置。
【請求項２】
前記設定された裏写り補正レベルを調整する調整手段を設けたことを特徴とする請求項１記載の画像形成装置。
【請求項３】
前記設定手段による裏写り補正レベルの設定の可・不可を選択する選択手段を設けたことを特徴とする請求項１または２記載の画像形成装置。
【請求項４】
前記開閉蓋の開閉状態には、閉状態、リフトアップ状態、開状態があることを特徴とする請求項１から３のいずれか１項に記載の画像形成装置。
【請求項５】
読み取り手段で読み取られた原稿画像から裏写り画像を除去する裏写り補正処理と、
前記原稿読み取り時に給紙装置の開閉蓋の開閉状態を検出する検出処理と、
前記裏写り補正処理で用いる裏写り補正レベルを前記検出された開閉状態に応じて異なる値に設定する設定処理とをコンピュータに実行させるプログラム。
【請求項６】
前記設定された裏写り補正レベルを調整する調整処理をコンピュータに実行させる請求項５記載のプログラム。
【請求項７】
前記設定処理による裏写り補正レベルの設定の可・不可を選択する選択処理をコンピュータに実行させる請求項５または６記載のプログラム。
【請求項８】
前記開閉蓋の開閉状態には、閉状態、リフトアップ状態、開状態があることを特徴とする請求項５から７のいずれか１項に記載のプログラム。
【請求項９】
請求項５から８のいずれか１項に記載のプログラムを記録したコンピュータ読み取り可能な記録媒体。
【発明の詳細な説明】
【技術分野】
【０００１】
本発明は、カラー複写、カラープリンタ、スキャナ、ファクシミリ等の機能を併せ持ち、かつ裏写り補正機能を有するデジタルカラー複合機等の画像形成装置、この装置で用いられるプログラム、このプログラムを記録したコンピュータ読み取り可能な記録媒体に関するものである。
【背景技術】
【０００２】
表裏両面に印刷された原稿をコピーする場合、例えば表面をコピーする際に裏面の画像が透けて表面の画像と共にコピーされてしまったり、あるいは薄い原稿の場合、次ページの画像が透けて原稿画像と共にコピーされてしまったりする、いわゆる裏写り現象が発生するのを無くすために裏写り補正機能を有する画像形成装置が知られている（例えば、特許文献１、２参照）。
【０００３】
画像形成装置には、ＡＤＦといわれる開閉蓋を有する自動給紙装置を備えているが、この開閉蓋の開閉状態によって外部から光の入る状態が異なるため、原稿のコピー面に裏面の画像が透ける量が異なり、画像の裏写りの程度が異なる場合があった。上記の従来技術による裏写り補正機能では、常にある一律の裏写り画像除去レベルを用いて裏写り補正が行われるため、ＡＤＦの開閉状態によっては裏写り補正機能が効果的に働かない場合があった。
【特許文献１】特開２００１−１６９０８０号公報
【特許文献２】特開２００１−３１３８３２号公報
【発明の開示】
【発明が解決しようとする課題】
【０００４】
本発明は、ＡＤＦの開閉状態等の読み取り時の状況に応じて、常に適切な裏写り補正を行えるようにすることを課題としている。
【課題を解決するための手段】
【０００５】
請求項１記載の発明による画像形成装置は、読み取り手段で読み取られた原稿画像から裏写り画像を除去する処理を行う裏写り補正処理手段と、開閉蓋を有する給紙手段とを備える画像形成装置において、前記原稿読み取り時に前記開閉蓋の開閉状態を検出する検出手段と、前記裏写り補正処理手段で用いる裏写り補正レベルを前記検出された開閉状態に応じて異なる値に設定する設定手段とを設けたことを特徴とするものである。
【０００６】
請求項２記載の発明は、請求項１記載の画像形成装置において、前記設定された裏写り補正レベルを調整する調整手段を設けたことを特徴とする。
【０００７】
請求項３記載の発明は、請求項１または２記載の画像形成装置において、前記設定手段による裏写り補正レベルの設定の可・不可を選択する選択手段を設けたことを特徴とする。
【０００８】
請求項４記載の発明は、請求項１から３のいずれか１項に記載の画像形成装置において、前記開閉蓋の開閉状態には、閉状態、リフトアップ状態、開状態があることを特徴とする。
【０００９】
請求項５記載の発明によるプログラムは、読み取り手段で読み取られた原稿画像から裏写り画像を除去する処理を行う裏写り補正処理と、前記原稿読み取り時に給紙装置の開閉蓋の開閉状態を検出する検出処理と、前記裏写り補正処理で用いる裏写り補正レベルを前記検出された開閉状態に応じて異なる値に設定する設定処理とをコンピュータに実行させることを特徴とする。
【００１０】
請求項６記載の発明は、請求項５記載のプログラムにおいて、前記設定された裏写り補正レベルを調整する調整処理をコンピュータに実行させることを特徴とする。
【００１１】
請求項７記載の発明は、請求項５または６記載のプログラムにおいて、前記設定処理による裏写り補正レベルの設定の可・不可を選択する選択処理をコンピュータに実行させることを特徴とする。
【００１２】
請求項８記載の発明は、請求項５から７のいずれか１項に記載のプログラムにおいて、前記開閉蓋の開閉状態には、閉状態、リフトアップ状態、開状態があることを特徴とする。
【００１３】
請求項９記載の発明による記録媒体は、請求項５から８のいずれか１項に記載のプログラムを記録したコンピュータ読み取り可能であることを特徴とする。
【発明の効果】
【００１４】
請求項１、５、４、８記載の発明によれば、ＡＤＦの開状態、閉状態、リフトアップ状態等を原稿読み取り時チェックし、それぞれの状態に対して適切な裏写り補正レベルを設定して画像形成することにより、裏写り画像の除去された画像を得ることができる。
請求項２、６記載の発明によれば、設定された裏写り補正レベルをさらに調整可能とすることにより、画像形成装置がおかれている環境等、状況に応じて最適な裏写り補正レベルを設定して最適な裏写り補正処理を行うので、最良の出力画像を得ることができる。
請求項３、７記載の発明によれば、原稿によってはＡＤＦの開閉状態の影響を受けない場合があるので、開閉状態によって裏写り補正レベルを変えるか変えないかを選択できることにより、いかなる原稿でも適切な裏写り補正機能が得られる。
【発明を実施するための最良の形態】
【００１５】
本発明は、原稿読み取り時に、ＡＤＦの開状態、閉状態、リフトアップ状態等の開閉状態を検出し、その状態に応じて適切な裏写り補正レベルを設定して裏写り補正処理を行うようにした。
【実施例】
【００１６】
以下、本発明の実施例を図面と共に説明する。
図３は本発明の実施例による画像形成装置を示すブロック図である。
図３において、スキャナ、デジタルカメラ等の画像入力機器１から入力されたカラー画像データは、ＲＡＭ６に格納される。また、後述する裏写り補正を含む一連の処理は、ＲＯＭ７に格納されたプログラムをＣＰＵ５が読み出すことにより実行される。処理の途中経過や途中結果は液晶等の表示装置２で表示される。また、ユーザがキーボード３から処理に必要なパラメータ等を入力する。裏写り補正処理の実行中に得られる中間データ（縮小カラー画像、カラー変換画像、エッジ強度画像、２値エッジ画像、背景色画像、２値エッジ差分画像、裏写り除去画像）はＲＡＭ６に蓄積され、必要に応じてＣＰＵ５で読み出され、修正、書き込みが行われる。裏写り補正処理の結果として生成された裏写り除去画像は、ＲＡＭ６から読み出されて画像印刷機器（プリンタ）４で印刷出力される。
【００１７】
次に、本実施例に適用できる従来の裏写り補正処理の一例を図４と共に説明する。なお、この処理は上記特許文献１に記載されたものである。
画像入力機器１のスキャナからカラー画像が入力されると（ステップＳ１、以下ステップ略）、まずその画像を縮小する（Ｓ２）。このように原画像の縮小画像を用いることにより、処理の高速化、ワーキングメモリの節約、実装の簡素化を図ることができる。次に、カラー座標系を変換する（Ｓ３）。ＲＧＢ空間は成分間の独立性が低いため、エッジ検出の精度やノイズに対する頑健性が低いことがあるので、カラー座標系を適当なものに変換してエッジ検出精度やノイズに対する頑健性を向上させる。次に、エッジ強度計算を行う（Ｓ４）。エッジ強度計算を行うことにより、結果的にテキストや線画等のカラー文書の前景部分や、裏写り部分よりも輝度が高い（色が薄い）背景部分を保持することができる。
【００１８】
次に、２値化処理を行ってエッジを検出し（Ｓ５）、検出されたエッジ以外の部分領域に対してカラー閾値処理を行う（Ｓ６）。これによって原稿の裏面画像の入力、蓄積をすることなく裏写り部分を補正することができる。このカラー閾値処理により、画像の表面と裏面を区別できると共に、色を具体的に推定できる。除去する裏写り部分の大きさを、設定するウィンドウのサイズにより明示的に指定することができる。処理が局所的な演算によるために、ワーキングメモリの量の節約や実装の簡素化につながる。次に、カラー閾値処理により推定した背景画像に基づいて裏写り除去画像を合成する（Ｓ７）。続いて裏写り除去画像のエッジ強度を計算し（Ｓ８）、原画像と裏写り除去画像についてエッジ差分画像を生成する（Ｓ９）。処理結果として作られる画像と原画像とを比較して処理により画像が劣化している箇所を簡単に検出できる。また、その箇所の周囲で処理を再度実行することにより、画像の劣化を防ぎ、処理結果を向上させることができる。
【００１９】
次に、エッジ強度差分を２値化処理し（Ｓ１０）、処理スケール（ウィンドウサイズ）を縮小してＳ６と同様にカラー閾値処理して背景画像を推定し（Ｓ１１）、裏写り除去画像を合成する（Ｓ１２）。小さいウィンドウサイズを用いた修正カラー閾値処理に関し、除去するべき裏写り部分大きさは、表面画像の局所的性質（複雑さ等）に依存するが、複雑な部分ではウィンドウサイズにより決まる、除去する裏写り部分の大きさを小さくすることにより、表面の画像の劣化を防止することができる。次に、裏写り除去画像と縮小画像との差分計算により裏写り部分を推定（判定）する（Ｓ１３）。最後に元の解像度での裏写り部分を除去し（Ｓ１４）、画像印刷機器４に出力する（Ｓ１５）。
【００２０】
次に、本発明の実施例による裏写り補正レベル設定処理について図１と共に説明する。
原稿読み取り時に、まずＡＤＦの開閉状態を検出する（Ｓ２１）。ＡＤＦの開閉状態としては、図２（ａ）に示す開状態と、（ｂ）に示すリフトアップ状態と、（ｃ）に示す閉状態との３つの状態がある。本実施例においては、各状態に対して異なる裏写り補正レベルが用意されている。Ｓ２１で開状態が検出された場合は、開状態用の裏写り補正レベルが設定される（Ｓ２２）。また、開状態でない場合は、リフトアップ状態かを検出し（Ｓ２３）、リフトアップ状態であれば、リフトアップ状態用の裏写り補正レベルが設定される（Ｓ２４）。リフトアップ状態でない場合は、閉状態であるとして、閉状態用の裏写り補正レベルが設定される（Ｓ２５）。それぞれの裏写り補正レベルが設定されると、読み取りが行われ、読み取った画像について、例えば図４の裏写り補正処理が行われる（Ｓ２６）。
【００２１】
設定される裏写り補正レベルとしては、例えば図４について説明した裏写り画像の除去レベルを決定する適当なパラメータである。例えば開状態の場合は、裏写り画像の程度が大きくなるので除去レベルを大きくする裏写り補正レベルが設定される。
なお、原稿の厚さや紙質、あるいは周囲の環境等により画像の裏写りの程度も違ってくるので、上記３つの裏写り補正レベルを固定値とせずに、それぞれ調整できる調整手段を設けてもよい。例えば、本等の厚い原稿の場合は、ＡＤＦが開状態でも実質的に略閉状態となるので、閉状態での裏写り補正レベルを設定して、これを調整できるようにすればよい。
また、ＡＤＦの開閉状態に応じて異なる裏写り補正レベルを設定するか否かを選択できる選択手段を設けてもよい。
【００２２】
本実施例によれば、ＡＤＦの開状態、リフトアップ状態、閉状態に応じて適切な裏写り補正処理が行われる。また、読み取り時の原稿の置かれている状況によって、画像の裏写りの程度も変わるので、裏写り補正レベルを調整できるようにすることにより、いかなる条件でも常に最適な裏写り補正効果を得ることができる。
【００２３】
なお、図１、図４のフローチャートに示す処理をＣＰＵ５が実行するためのプログラムは、本発明によるプログラムを構成する。また、このプログラムを記録する記録媒体は、本発明によるコンピュータ読み取り可能な記録媒体を構成する。この記録媒体としては、半導体記憶装置や光学的及び／又は磁気的な記憶装置等を用いることができる。このようなプログラム及び記録媒体を、前述した実施例とは異なる構成のシステム等で用い、そこのＣＰＵで上記プログラムを実行させることにより、本発明と実質的に同じ効果を得ることができる。
【図面の簡単な説明】
【００２４】
【図１】本発明の実施例による画像形成装置の裏写り補正レベル設定処理を示すフローチャートである。
【図２】ＡＤＦの開閉状態を示す構成図である。
【図３】本発明の実施例による画像形成装置の構成を示すブロック図である。
【図４】裏写り補正処理の一例を示すフローチャートである。
【符号の説明】
【００２５】
１    画像入力機器
２    表示装置
３    キーボード
４    画像印刷機器
５    ＣＰＵ
６    ＲＡＭ
７    ＲＯＭ
【図１】
2005094304.tif 000003
【図２】
2005094304.tif 000004
【図３】
2005094304.tif 000005
【図４】
2005094304.tif 000006